(57)【要約】      （修正有）【課題】カレンダーの年度、月、暦日に対応させて凶方位を示し、年盤、月盤及び日盤において凶方位を簡単に目視出来る吉方位カレンダーを提供する。【解決手段】カレンダーの月のシートに年盤及び月盤が表示され、各暦日に対応して暦日の日盤が表示された吉方位カレンダーであって、年盤、月盤及び日盤のそれぞれには五黄殺、暗剣殺及び八殺の凶方位が赤あるいはその他の色で着色されている。【選択図】図３
0003225176.tif 000002
【実用新案登録請求の範囲】
【請求項１】
カレンダーの月のシートに年盤及び月盤とが表示され、各日付に対応して当該日付の日盤が表示された吉方位カレンダーであって、年盤、月盤及び日盤のそれぞれには五黄殺、暗剣殺及び八殺の凶方位が赤あるいはその他の色で着色されている吉方位カレンダー。
【請求項２】
さらに、一粒万倍日、天道及び天赦日を当該暦日に対応させて表示している、請求項１に記載の吉方位カレンダー。
【考案の詳細な説明】
【技術分野】
【０００１】
カレンダーの月のシートに年盤及び月盤とが表示され、各暦日に対応して当該暦日の日盤が表示され、年盤、月盤及び日盤中に凶方位を示した吉方位カレンダーに関する。
【背景技術】
【０００２】
九星気学では、外出や引越しなどにおいて凶方位を避けて最大吉方位あるいは吉方位へ行くと、幸運が開けることが古くから知れている。九星気学では、各人については、生まれた年により干支と本命星がきまり、また本命星と生まれ日により月命星が決まり、さらに各人の本命星と月命星とから最大吉方位と吉方位がきまり、これら最大吉方位と吉方位へ引越したり、出かけることが良いとされている。
【０００３】
従来技術として、月シートに月ごとに日付を上下多段に配置・記載し、日付記載の一方側面の位置でそれぞれの上下日付の数字間と対応する部分に、九星、五黄殺、暗剣殺、日殺の文字を上から順に並べて記載し、各日付の下に九星の種類、吉方位を示す五黄殺の方位、暗剣殺に方位及び日破の方位を上から順に記載した安心、安全カレンダーが提案されていた（特許文献1）
【０００４】
また、日々の出来事や感想などを記載する各日ごとの記入欄と、各日ごとの記入欄に設けられた延長部と、各日ごとの延長部に記載された同日に該当する開運用吉凶判断記事とを一つの欄に備えた開運暦付きダイヤリーが提案されている（特許文献２）。
【先行技術文献】
【特許文献】
【０００５】
【特許文献１】実用新案登録第３１６８７５７号
【特許文献２】実開平１−７６２６６号
【考案の概要】
【考案が解決しようとする課題】
【０００６】
しかしながら、先行技術のものでは、カレンダーの年度、月、暦日に対応させて直ちに最大吉方位と吉方位を視覚的に把握することはできなかった。
【０００７】
従って、本考案者は、カレンダーの年度、月、暦日に対応させて凶方位を示し、年盤、月盤及び日盤において当該凶方位を簡単に目視出来、またカレンダー使用者は最大吉方位及び吉方位を目視的に把握することを可能とする吉方位カレンダーを提供できればとの認識の基に本考案に至った。
【課題を解決するための手段】
【０００８】
そこで、本考案は、カレンダーの月のシートに年盤及び月盤とが表示され、各暦日に対応して当該暦日の日盤が表示された吉方位カレンダーであって、年盤、月盤及び日盤のそれぞれには五黄殺、暗剣殺及び八殺の凶方位が赤あるいはその他の色で着色されている吉方位カレンダーを提供することを目的とする。  
【考案の効果】
【０００９】
本考案の吉方位カレンダーは、万人に共通の凶方位を予め視覚的に明示したカレンダーであり、カレンダーを見た人は直ちに当該暦日の凶方位を把握できる。なお、日盤の八角形中央は、自宅を示す。
【００１０】
カレンダー使用者は、年盤、月盤及び日盤のそれぞれに対して、生まれた年の星、生まれ月の星及び対冲の行ってはいけない方位に例えば黄色で着色し、さらに中宮星を紫色に着色し、使用者の最大吉方位及び吉方位を例えばそれぞれ青及び緑で着色することによって使用者個人の吉方位カレンダーを容易に完成させることができる。
【００１１】
このように完成させた本考案の吉方位カレンダーは、視覚によって当該年度、月及び暦日の最大吉方位及び吉方位並びに凶方位を容易に視覚的に把握できるという利点がある。
カレンダー使用者は、年盤、月盤及び当該暦日の日盤並びに前後の暦日の日盤を参照して移動や引越しの日取りや方位を容易にきめることができ、また１月単位、あるいは１年の各月を通して移動や引越し等を容易に検討することができる。
その場合、上記のように着色することによって、非常にカラフルで見やすく、かつ自身の方位取りが一目瞭然に分かる万華鏡のようなカレンダーとすることができる。
【図面の簡単な説明】
【００１２】
【図１】２０１９年の年盤（方位盤）を示す。
【図２】２０１９年７月の月盤（方位盤）を示す。
【図３】本考案に係る２０２０年４月のカレンダーを示し、余白に年盤及び月盤を表示し、暦日の１日から３０日に対応して日盤を配置している。
【図４】本考案に係る２０２０年７月のカレンダーを示し、余白に年盤及び月盤を表示し、暦日の１日から３１日に対応して日盤を配置している。
【考案を実施するための形態】
【００１３】
以下に、本考案を実施するための形態を図面を参照して説明する。これらの実施態様は本考案を説明するための例示であり、本考案をそれらの実施態様に限定して解釈してはならない。請求項に定義する考案に入るものは、特に矛盾がなければ全て本考案の範囲に属する。
【００１４】
本明細書では、年盤、月盤、日盤等については、下記の書籍等を参照して記載を行っている。
＊神宮館編集部、「高島易断所本部編纂  神宮館百彩暦」、株式会社神宮館、令和元年７月10日
＊ｋｏａｋｉ、「日替り吉方位取り〜仕事も恋愛もお金も思いのまま〜」、第1版、株式会社スフの友インフォス情報社、株式会社日本文芸社、2018年10月20日発行
＊西谷泰人、「３６５日吉方位で開運！日帰りおでかけ＆吉方旅行」、第１版、株式会社日本文芸社、２０１８年１０月２０日発行
＊小林佑実著  「おんな一人の崖っぷちを救う！ 開運の決定打  吉方位引越し」  株式会社主婦の友  ２０１７年７月２０日発行
【００１５】
図１には、例として２０１９年の年盤（方位盤）１を示し、図２は２０１９年７月の月盤（方位盤）２を示す。方位盤は八角形の盤面に中央区画、中央区画の周りを北、南、東、西、北東、北西、南東、南西の8つの区画に分割され（上方位置に「北」、下方位置に「南」、右方位に「東」、左方位に「西」の方向を設定し、北、南、東、西は中央区画に対して外側方向に30°に拡がり、北東、北西、南東、南西は外側方向に60°に拡がる）、各区画に一白〜九紫の九星図からなる方位が表示されている。
【００１６】
図中、数字一〜九までは以下のものを示す。
一  ・・・  一白水星、  二  ・・・  二黒土星、  三  ・・・三碧木星、  四  ・・・  四緑木星、
五  ・・・  五黄土星、  六  ・・・  六白金星、  七 ・・・  七赤金星、  八  ・・・  八白土星、
九  ・・・  九紫火星
なお、図中「ア」は暗剣殺を示し、「破」は日殺（破殺）を示す。
【００１７】
図３は、例として、本考案に係る２０２０年４月の吉方位カレンダーを示す。余白の上欄左には年盤１、右には月盤２が表示され、また暦日の１日から３０日のそれぞれの暦日に対応して日盤が表示されている。なお、「暦日に対応して日盤が表示され」とは、暦日の下方、あるいは上方、あるいは右方、あるいは左方等に日盤が配置されていることを示す。また、それぞれの暦日には右上に対応する干支が表示されている。
【００１８】
年盤１及び月盤２は、それぞれ年盤表及び月盤表の中から当該方位盤を選択し、日盤３は、日替わり方位盤１〜６０の中から１０年暦の２０２０年４月の各暦日に対して決められている日替わり方位盤を選択して表示している。年盤１、月盤２、日盤３においては、五黄殺、暗剣殺（対冲）及び破殺の凶方位及び中央区画を赤等で表示してある。なお、日盤中、「ハ」は破殺を示す。
【００１９】
カレンダーを使用する人は、生まれ年の星及び生まれ月の星及びそれらの対面方位（対冲）を黄色で表示し、また最大吉方位及び吉方位を青で表示することによって、使用者固有の非常にカラフルで見やすい万華鏡のようなカレンダーを完成する。
また、暦日に対して一粒万倍日及び天道の日を表示することによって、方向どりをより良好に行える。なお、一粒万倍日は、一粒の籾（もみ）が万倍にも実る稲穂になるという意味であり、この日は何事を始めるにも良い日とされ、特に仕事始め、開店、種まき、お金を出すことに吉であるとされる。
【００２０】
天道の日は、当該月間においてエネルギーの高い十二支がめぐっている方位を示し、気パワーが１２倍になり、自分の吉方位がそれに重なった日は、日替えり吉方位取りが進められる。天赦日は、日本の暦の上で最上の吉日であると言われ、2019年には全部で7日間ある。
【産業上の利用可能性】
【００２１】
本発明の吉方位カレンダーによれば、当該年度で当該月の当該暦日において万人に適用となる凶方位が示されているので、全ての人は当該月の暦日の凶方位を目視的に確実に知ることができるので、産業上の利用可能性が高い。
【００２２】
また、カレンダー使用者は、年盤、月盤及び日盤のそれぞれに対して、生まれた年の星、生まれ月の星及び対冲の行ってはいけない方位に例えば黄色で着色し、さらに中宮星を紫色に着色し、使用者の最大吉方位を及び吉方位を例えばそれぞれ青及び緑で着色することによって使用者個人の吉方位カレンダーを容易に完成させることができるので、産業上の利用可能性が高い。
【符号の説明】
【００２３】
１・・・年盤、２・・・月盤、３・・・日盤、３−１、３−２、・・・、３−３１・・・暦日、４・・・一粒万倍日、５・・・天道、６・・・天赦日
【図１】
0003225176.tif 000003
【図２】
0003225176.tif 000004
【図３】
0003225176.tif 000005
【図４】
0003225176.tif 000006